(57)【要約】【課題】  操作性を向上できるリモートコントローラ収納ホルダおよびリモートコントローラを提供する。【解決手段】  リモートコントローラ収納ホルダ１０およびリモートコントローラ３０は、照明器具の動作を操作可能なメインスイッチ２とメインスイッチ２に準じて照明器具の動作を操作可能なリモートコントローラ３０とに適用され、メインスイッチ２が操作されないようにリモートコントローラ３０を保持可能である。【選択図】図３
2011243360.tif 000002
【特許請求の範囲】
【請求項１】
照明器具の動作を操作可能なメインスイッチと、
前記メインスイッチに準じて前記照明器具の動作を操作可能なリモートコントローラとに適用され、
前記メインスイッチが操作されないように前記リモートコントローラを保持可能であるリモートコントローラ収納ホルダ。
【請求項２】
請求項１に記載のリモートコントローラ収納ホルダにおいて、
前記リモートコントローラが取り外された際に前記メインスイッチを操作可能とする操作用孔を有するリモートコントローラ収納ホルダ。
【請求項３】
請求項１または請求項２に記載のリモートコントローラ収納ホルダに収納された状態で、電波により前記照明器具を操作可能であるリモートコントローラ。
【請求項４】
請求項３に記載のリモートコントローラにおいて、
前記メインスイッチに対応して、複数の前記照明器具を操作可能であるリモートコントローラ。
【発明の詳細な説明】
【技術分野】
【０００１】
本発明は、例えば壁面に設置されて照明器具の動作を操作可能なメインスイッチとメインスイッチに準じて照明器具の動作を操作可能なリモートコントローラとに適用されるリモートコントローラ収納ホルダおよびリモートコントローラに関する。
【背景技術】
【０００２】
図８に示すように、従来より壁に設置されたメインスイッチ（壁スイッチ）１０１の場所にリモートコントローラ１０２を収納するようにしたリモートコントローラ収納ホルダ（壁掛けケース）１００が知られている（例えば、特許文献１参照）。
【先行技術文献】
【特許文献】
【０００３】
【特許文献１】実開平５−６００７３号公報（図１、段落番号０００６）
【発明の概要】
【発明が解決しようとする課題】
【０００４】
通常、照明器具のオンまたはオフは、居室の壁等に設置されたメインスイッチにより照明器具に供給する電源が投入または遮断されることにより行われる。
また、照明器具に赤外線信号を受信する受光部を設けて、操作用のリモートコントローラからの信号によりオンまたはオフ、或いは調光制御するようにした照明器具もある。このような照明器具においては、リモートコントローラがメインスイッチに準じた論理構成になっている。そのため、メインスイッチと連動した給電口に照明器具を接続して使用した場合、メインスイッチがオフされていると照明器具に電源が供給されなくなり、リモートコントローラの操作にかかわらず照明器具への電源供給が行われない。
【０００５】
更に、電源が供給されていることを前提として動作する機能を持った照明器具として、例えば火災報知機からの信号を受けることにより点滅動作するものや、照明器具がタイマーを有していて、リモートコントローラの操作により夜間に消灯し、予め設定した起床時間になるとオンする目覚まし機能を有するものや、人の存在を検知したときあるいは明るさを検知して暗くなったときに点灯するセンサ式の照明器具がある。
【０００６】
ここで、メインスイッチがオフされていると照明器具に電源が供給されなくなってリモートコントローラの操作にかかわらず照明器具への電源供給が行われなくなる照明器具において、天井にある照明器具用の給電口までの電源配線内にメインスイッチを入れないようにしたものが提案されている。
しかし、このような従来の照明器具においては、新設時に配策工事を実施しておくか、或いは、既設の配線に対する新たな配線工事が別途必要になる。
【０００７】
また、メインスイッチを介さないようにした場合には、照明器具のオンまたはオフはリモートコントローラにより主に行うことになるが、リモートコントローラは居室内のどこに置かれるか分からずに紛失することがある。リモートコントローラを紛失した場合、照明器具のオンまたはオフができなくなって不便である。
【０００８】
前述した特許文献１に記載されたリモートコントローラ収納ホルダ１００は、上述した課題を解決するために提案されたものであり、リモートコントローラ１０２の保管場所をメインスイッチ１０１と同じ場所にしたために、リモートコントローラ１０２の保管場所を明確にできる。
しかし、前述した特許文献１に記載されたリモートコントローラ収納ホルダ１００においては、リモートコントローラ１０２とメインスイッチ１０１とが独立して操作できるようになっているために、メインスイッチ１０１が誤ってオフされてしまうと、リモートコントローラ１０２を操作しても、電源が供給されていることを前提として動作する照明器具を動作させることができない。
【０００９】
本発明は、前述した課題を解決するためになされたものであり、その目的は、操作性を向上できるリモートコントローラ収納ホルダおよびリモートコントローラを提供することにある。
【課題を解決するための手段】
【００１０】
本発明に係るリモートコントローラ収納ホルダは、照明器具の動作を操作可能なメインスイッチとメインスイッチに準じて照明器具の動作を操作可能なリモートコントローラとに適用され、メインスイッチが操作されないようにリモートコントローラを保持可能である。
【００１１】
本発明に係るリモートコントローラ収納ホルダは、リモートコントローラが取り外された際にメインスイッチを操作可能とする操作用孔を有する。
【００１２】
本発明に係るリモートコントローラは、リモートコントローラ収納ホルダに収納された状態で、電波により照明器具を操作可能である。
【００１３】
本発明に係るリモートコントローラは、メインスイッチに対応して、複数の照明器具を操作可能である。
【発明の効果】
【００１４】
本発明のリモートコントローラ収納ホルダおよびリモートコントローラによれば、操作性を向上できるという効果を奏する。
【図面の簡単な説明】
【００１５】
【図１】本発明に係る第１実施形態のリモートコントローラ収納ホルダおよびリモートコントローラの外観斜視図
【図２】図１のリモートコントローラ収納ホルダおよびリモートコントローラの正面図
【図３】図１のリモートコントローラ収納ホルダおよびリモートコントローラの垂直断面図
【図４】本発明に係る第２実施形態のリモートコントローラ収納ホルダおよびリモートコントローラの外観斜視図
【図５】図４のリモートコントローラ収納ホルダおよびリモートコントローラの正面図
【図６】図４のリモートコントローラ収納ホルダおよびリモートコントローラの垂直断面図
【図７】本発明に係る第３実施形態のリモートコントローラ収納ホルダおよびリモートコントローラの正面図
【図８】従来構造の外観図
【発明を実施するための形態】
【００１６】
以下、本発明の複数の実施形態に係るリモートコントローラ収納ホルダおよびリモートコントローラについて図面を参照して説明する。
（第１実施形態）
本発明の第１実施形態であるリモートコントローラ収納ホルダ１０は、壁面１に取り付けられるホルダ本体１１と、リモートコントローラ３０を保持可能な保持部１２と、を備える。
本発明の第１実施形態であるリモートコントローラ３０は、不図示の１つの照明器具を遠隔で操作可能な第１スイッチ３１を備える。
【００１７】
図１に示すように、リモートコントローラ収納ホルダ１０のホルダ本体１１は、比較的薄い金属製板部材を略コ字形状に折り曲げ成形することにより前面板１３と天部板１４と底部板１５とを有して形成されている。このホルダ本体１１は、天部板１４と底部板１５との端縁部に壁面（図３参照）１に平行に配置されるフランジ１６をそれぞれ有し、これらフランジ１６にネジ孔１７を有する。ホルダ本体１１は、前面板１３と天部板１４と底部板１５とから形成される空間内に、壁面１に設置されているメインスイッチ（図３参照）２が配置される。ホルダ本体１１の前面板１３には操作用孔１８が形成されている。操作用孔１８は、メインスイッチ２に対応して四角形の貫通孔状に切除されている。
【００１８】
保持部１２は、ホルダ本体１１の前面板１３の両側方および下方の三方から前方に向けてＬ字形状に突出されており、上方が開放されている。保持部１２は、リモートコントローラ３０の厚み寸法よりもわずかに大きい幅寸法で突出されているために、リモートコントローラ３０が上方から挿入されることによりリモートコントローラ３０をホルダ本体１１に保持する。
【００１９】
リモートコントローラ３０は、電波式の送信方式が適用されており、第１スイッチ３１が操作されることにより特定の１つの照明器具に対して指令信号が転送される。このリモートコントローラ３０は、電波式であるために指向性の制約が小さいので、リモートコントローラ収納ホルダ１０に収納したままの状態で照明器具へ指令信号を確実に転送することができる。これに対して、例えば指向性の強い赤外線を適用したリモートコントローラの場合、メインスイッチ２の位置と照明器具との位置が離れていたり、リモートコントローラ収納ホルダ１０に収納した際の赤外線信号の放射方向に対して照明器具の信号受信可能範囲がずれていたりした場合、このリモートコントローラをリモートコントローラ収納ホルダ１０から取り外してリモートコントローラを照明器具に向けないと操作を行うことができない。そのため、リモートコントローラ３０が電波式であることにより照明器具に対する遠隔操作の簡便性に優れる。
【００２０】
次に、リモートコントローラ収納ホルダ１０およびリモートコントローラ３０の使用方法について説明する。
図２、図３に示すように、リモートコントローラ収納ホルダ１０は、フランジ１６のネジ孔１７を通じて壁面１にネジ１９がネジ込まれることによりメインスイッチ２を覆うようにして壁面１に取り付けられる。このとき、ホルダ本体１１は、前面板１３と天部板１４と底部板１５とから形成される空間内にメインスイッチ２が配置される。そして、メインスイッチ２がオン切換えされた後に、保持部１２に対して上方からリモートコントローラ３０が挿入されることによりリモートコントローラ３０が保持部１２に保持される。このとき、リモートコントローラ３０の保持部１２への挿入に伴いホルダ本体１１の操作用孔１８が閉塞されるために、使用者はメインスイッチ２を操作できなくなる。
【００２１】
そして、リモートコントローラ収納ホルダ１０に保持されているリモートコントローラ３０の第１スイッチ３１が操作される。すると、メインスイッチ２がオン切換えされていることによりメインスイッチ２のオン切換えの論理が既に確定されているために、リモートコントローラ３０の第１スイッチ３１の操作に応じて特定の照明器具に対する指令信号が転送されて照明器具が遠隔操作される。
【００２２】
次に、リモートコントローラ３０がリモートコントローラ収納ホルダ１０から取り外されて、リモートコントローラ３０を使用者が手に持つ等して使用されると、ホルダ本体１１の操作用孔１８が開放される。これにより、使用者はメインスイッチ２を直接操作できるようになる。
【００２３】
従って、この第１実施形態のリモートコントローラ収納ホルダ１０においては、メインスイッチ２をオン切換えした後に、リモートコントローラ３０を保持部１２に収納することにより、メインスイッチ２が操作されないようにリモートコントローラ３０が保持される。
これにより、この第１実施形態のリモートコントローラ収納ホルダ１０においては、メインスイッチ２の工事を行うことなく、メインスイッチ２を覆うようにリモートコントローラ収納ホルダ１０を壁面１に取り付ける簡単な工事により、不用意にメインスイッチ２を操作できないようにすることができ、電源が供給されていることを前提として動作する照明器具の操作性を向上できる。
【００２４】
また、この第１実施形態のリモートコントローラ収納ホルダ１０においては、リモートコントローラ３０が取り外された際に操作用孔１８を介してメインスイッチ２の操作が行われる。
これにより、この第１実施形態のリモートコントローラ収納ホルダ１０においては、リモートコントローラ３０を紛失した時やメインスイッチ２を直接操作したい時に、リモートコントローラ３０をリモートコントローラ収納ホルダ１０から取り外すだけで、リモートコントローラ収納ホルダ１０を壁面１から取り外すことなく操作用孔１８を使ってメインスイッチ２を直接操作できる。
【００２５】
また、この第１実施形態のリモートコントローラ３０においては、電波式の送信方式が適用される。
これにより、この第１実施形態のリモートコントローラ３０においては、リモートコントローラ収納ホルダ１０に収納された状態のままで電波により照明器具を確実に操作できる。
【００２６】
（第２実施形態）
次に、本発明の第２実施形態のリモートコントローラ収納ホルダおよびリモートコントローラについて説明する。なお、以下の各実施形態において、上述した第１実施形態と重複する構成要素や機能的に同様な構成要素については、図中に同一符号あるいは相当符号を付することによって説明を簡略化あるいは省略する。
【００２７】
図４、図５、図６に示すように、本発明の第２実施形態のリモートコントローラ収納ホルダ４０は、ホルダ本体１１の前面板１３に、特定の不図示の第１照明器具の操作を司る第１メインスイッチ３と、特定の不図示の第２照明器具の操作を司る第２メインスイッチ４とに対応した操作用孔４１が形成されている。操作用孔４１は、第１メインスイッチ３と、第１メインスイッチ３に併設されている第２メインスイッチ４とに対応して単一の長方形の貫通孔状に切除されている。なお、操作用孔４１は、第１メインスイッチ３用と、第２メインスイッチ４用とが独立して形成されても良い。
本発明の第２実施形態のリモートコントローラ５０は、電波式の送信方式が適用されており、特定の第１照明器具に指令信号を転送するための第１スイッチ５１と、特定の第２照明器具に指令信号を転送するための第２スイッチ５２とを備える。
【００２８】
リモートコントローラ収納ホルダ４０には、第１メインスイッチ３、第２メインスイッチ４がオン切換えされた後に、保持部１２に対して上方からリモートコントローラ５０が挿入されることによりリモートコントローラ５０が保持部１２に保持される。リモートコントローラ５０の保持部１２への挿入に伴いホルダ本体１１の操作用孔４１が閉塞されるために、使用者は第１メインスイッチ３、第２メインスイッチ４を操作できなくなる。
【００２９】
リモートコントローラ５０が保持部１２に保持された後に、リモートコントローラ５０の第１スイッチ５１が操作されると、第１メインスイッチ３がオン切換えされていることにより第１メインスイッチ３のオン切換えの論理が既に確定されているために、リモートコントローラ５０の第１スイッチ５１の操作に応じて特定の第１照明器具に対する指令信号が転送されて第１照明器具が遠隔操作される。
【００３０】
リモートコントローラ５０が保持部１２に保持された後に、リモートコントローラ５０の第２スイッチ５２が操作されると、第２メインスイッチ４がオン切換えされていることにより第２メインスイッチ４のオン切換えの論理が既に確定されているために、リモートコントローラ５０の第２スイッチ５２の操作に応じて特定の第２照明器具に対する指令信号が転送されて第２照明器具が遠隔操作される。
【００３１】
次に、リモートコントローラ５０がリモートコントローラ収納ホルダ４０から取り外されて、リモートコントローラ５０を使用者が手に持つ等して使用されると、ホルダ本体１１の操作用孔４１が開放されることにより、使用者は第１メインスイッチ３および第２メインスイッチ４を直接操作できるようになる。なお、第１照明器具と第２照明器具とに加えて複数の照明器具の操作を司る複数のメインスイッチが設置されている場合、リモートコントローラには、これらメインスイッチに対応して複数の照明器具に指令信号を転送する複数のスイッチを備えることができる。
【００３２】
従って、この第２実施形態のリモートコントローラ５０においては、第１照明器具の操作を司る第１メインスイッチ３と、第２照明器具の操作を司る第２メインスイッチ４とに対応して、第１照明器具に指令信号を転送するための第１スイッチ５１と、第２照明器具に指令信号を転送するための第２スイッチ５２とを備え、第１メインスイッチ３、第２メインスイッチ４をオン切換えした後に、リモートコントローラ５０を保持部１２に収納することにより、第１メインスイッチ３、第２メインスイッチ４が操作されないようにリモートコントローラ収納ホルダ４０に保持される。
これにより、この第２実施形態のリモートコントローラ５０においては、第１メインスイッチ３、第２メインスイッチ４の工事を行うことなく、第１メインスイッチ３、第２メインスイッチ４を覆うようにリモートコントローラ収納ホルダ４０を壁面１に取り付ける簡単な工事により、不用意に第１メインスイッチ３、第２メインスイッチ４を操作できないようにすることができ、電源が供給されていることを前提として動作する第１照明器具、第２照明器具の操作性を向上できる。
【００３３】
（第３実施形態）
次に、本発明の第３実施形態のリモートコントローラ収納ホルダおよびリモートコントローラについて説明する。
図７に示すように、本発明の第３実施形態のリモートコントローラ収納ホルダ６０は、第２実施形態に示したリモートコントローラ収納ホルダ４０と同様に構成されている。
本発明の第３実施形態のリモートコントローラ７０は、特定の第１照明器具の操作を司る第１メインスイッチ（図６参照）３に準じて第１照明器具に指令信号を転送するための第１スイッチ７１と、特定の第２照明器具の操作を司る第２メインスイッチ（図６参照）４に準じて第２照明器具に指令信号を転送するための第２スイッチ７２とを備えて第１照明器具と第２照明器具とにペアリングされている。
【００３４】
第１スイッチ７１は、第１照明器具をオンまたはオフさせる操作に加えて第１照明器具の明るさを無段階に変更して調光制御するための明暗ボタン７３を備える。第２スイッチ７２は、第１スイッチ７１と同様に、第２照明器具をオンまたはオフさせる操作に加えて第２照明器具の明るさを無段階に変更して調光制御するための明暗ボタン７４を備える。なお、第１スイッチ７１、第２スイッチ７２は、明暗ボタン７３、明暗ボタン７４に加えて、タイマー機能動作を行うボタンや停止操作を行うボタン等を設けて第１照明器具、第２照明器具のオンまたはオフ以外の補助動作を司るようにもできる。
【００３５】
従って、この第３実施形態のリモートコントローラ７０においては、第１照明器具の操作を司る第１メインスイッチ３と、第２照明器具の操作を司る第２メインスイッチ４とに準じて、第１照明器具に指令信号を転送するための第１スイッチ７１と、第２照明器具に指令信号を転送するための第２スイッチ７２とを備え、第１メインスイッチ３、第２メインスイッチ４をオン切換えした後に、リモートコントローラ７０を保持部１２に収納することにより、第１メインスイッチ３、第２メインスイッチ４が操作されないようにリモートコントローラ収納ホルダ６０に保持される。
これにより、この第３実施形態のリモートコントローラ７０においては、第１メインスイッチ３、第２メインスイッチ４の工事を行うことなく、第１メインスイッチ３、第２メインスイッチ４を覆うようにリモートコントローラ収納ホルダ６０を壁面１に取り付ける簡単な工事により、不用意に第１メインスイッチ３、第２メインスイッチ４を操作できないようにすることができ、電源が供給されていることを前提として動作する第１照明器具、第２照明器具の操作性を向上できる。
【００３６】
なお、第１実施形態、第２実施形態、第３実施形態で使用したメインスイッチ、第１メインスイッチ、第２メインスイッチ等は例示したものに限定するものではなく適宜変更が可能である。
【符号の説明】
【００３７】
２  メインスイッチ
３  第１メインスイッチ（メインスイッチ）
４  第２メインスイッチ（メインスイッチ）
１０、４０、６０  リモートコントローラ収納ホルダ
１８、４１  操作用孔
３０、５０、７０  リモートコントローラ
【図１】
2011243360.tif 000003
【図２】
2011243360.tif 000004
【図３】
2011243360.tif 000005
【図４】
2011243360.tif 000006
【図５】
2011243360.tif 000007
【図６】
2011243360.tif 000008
【図７】
2011243360.tif 000009
【図８】
2011243360.tif 000010